(57)【特許請求の範囲】
【請求項１】
被測定体から放射される放射線を検出し、出力パルスに応じたパルス波高分布を出力する放射線検出部と、
前記被測定体の形状情報を取得する被測定体情報取得部と、
前記被測定体情報取得部で取得された前記被測定体の形状情報に基づいて、前記被測定体の形状情報に応じた応答関数の補正値を、補正応答関数として演算する補正応答関数生成部と、を備え、
前記放射線検出部から出力されたパルス波高分布に対して、前記補正応答関数生成部で演算された前記補正応答関数を用いた逆問題演算を行うことにより、前記被測定体から放射される放射線のエネルギースペクトルを演算する放射線測定装置であって、
前記被測定体情報取得部は、検査領域内の少なくとも１つの前記被測定体の３次元形状を実時間で計測する３次元形状計測器を有し、
前記補正応答関数生成部は、前記被測定体の存在しうる空間における所定間隔の格子点の個々について前記放射線検出部の応答関数を有し、前記被測定体が前記検査領域内に占有する空間に包含される個々の前記格子点についての応答関数を積算することにより、前記補正応答関数を生成する
放射線測定装置。
【請求項２】
被測定体から放射される放射線を検出し、出力パルスに応じたパルス波高分布を出力する放射線検出部と、
前記被測定体の形状情報を取得する被測定体情報取得部と、
前記被測定体情報取得部で取得された前記被測定体の形状情報に基づいて、前記被測定体の形状情報に応じた応答関数の補正値を、補正応答関数として演算する補正応答関数生成部と、を備え、
前記放射線検出部から出力されたパルス波高分布に対して、前記補正応答関数生成部で演算された前記補正応答関数を用いた逆問題演算を行うことにより、前記被測定体から放射される放射線のエネルギースペクトルを演算する放射線測定装置であって、
前記被測定体情報取得部は、検査領域内の少なくとも１つの前記被測定体の３次元形状を実時間で計測する３次元形状計測器を有し、
前記補正応答関数生成部は、前記被測定体の密度分布情報を有するとともに、前記被測定体が前記検査領域内に占有する空間に包含される格子点について、前記格子点における密度を乗算した応答関数を積算することにより、前記補正応答関数を生成する
放射線測定装置。
【請求項３】
被測定体から放射される放射線を検出し、出力パルスに応じたパルス波高分布を出力する放射線検出部と、
前記被測定体の形状情報を取得する被測定体情報取得部と、
前記被測定体情報取得部で取得された前記被測定体の形状情報に基づいて、前記被測定体の形状情報に応じた応答関数の補正値を、補正応答関数として演算する補正応答関数生成部と、を備え、
前記放射線検出部から出力されたパルス波高分布に対して、前記補正応答関数生成部で演算された前記補正応答関数を用いた逆問題演算を行うことにより、前記被測定体から放射される放射線のエネルギースペクトルを演算する放射線測定装置であって、
前記被測定体情報取得部は、検査領域内の少なくとも１つの前記被測定体の３次元形状を実時間で計測する３次元形状計測器を有し、
前記補正応答関数生成部は、前記被測定体の放射性物質の含有率分布情報を有するとともに、前記被測定体が前記検査領域内に占有する空間に包含される格子点について、前記格子点における放射性物質の含有率を乗算した応答関数を積算することにより、前記補正応答関数を生成する
放射線測定装置。
【請求項４】
被測定体から放射される放射線を検出し、出力パルスに応じたパルス波高分布を出力する放射線検出ステップと、
前記被測定体の形状情報を取得する被測定体情報取得ステップと、
前記被測定体情報取得ステップで取得された前記被測定体の形状情報に基づいて、前記被測定体の形状情報に応じた応答関数の補正値を、補正応答関数として演算する補正応答関数生成ステップと、を備え、
前記放射線検出ステップから出力されたパルス波高分布に対して、前記補正応答関数生成ステップで演算された前記補正応答関数を用いた逆問題演算を行うことにより、前記被測定体から放射される放射線のエネルギースペクトルを演算する放射線測定方法であって、
前記被測定体情報取得ステップは、検査領域内の少なくとも１つの前記被測定体の３次元形状を実時間で計測する３次元形状計測器を用い、
前記補正応答関数生成ステップは、前記被測定体の存在しうる空間における所定間隔の格子点の個々について前記放射線検出ステップで用いられる応答関数に基づいて、前記被測定体が前記検査領域内に占有する空間に包含される個々の前記格子点についての応答関数を積算することにより、前記補正応答関数を生成する
放射線測定方法。
【請求項５】
被測定体から放射される放射線を検出し、出力パルスに応じたパルス波高分布を出力する放射線検出ステップと、
前記被測定体の形状情報を取得する被測定体情報取得ステップと、
前記被測定体情報取得ステップで取得された前記被測定体の形状情報に基づいて、前記被測定体の形状情報に応じた応答関数の補正値を、補正応答関数として演算する補正応答関数生成ステップと、を備え、
前記放射線検出ステップから出力されたパルス波高分布に対して、前記補正応答関数生成ステップで演算された前記補正応答関数を用いた逆問題演算を行うことにより、前記被測定体から放射される放射線のエネルギースペクトルを演算する放射線測定方法であって、
前記被測定体情報取得ステップは、検査領域内の少なくとも１つの前記被測定体の３次元形状を実時間で計測する３次元形状計測器を用い、
前記補正応答関数生成ステップは、前記被測定体の密度分布情報に基づいて、前記被測定体が前記検査領域内に占有する空間に包含される格子点について、前記格子点における密度を乗算した応答関数を積算することにより、前記補正応答関数を生成する
放射線測定方法。
【請求項６】
被測定体から放射される放射線を検出し、出力パルスに応じたパルス波高分布を出力する放射線検出ステップと、
前記被測定体の形状情報を取得する被測定体情報取得ステップと、
前記被測定体情報取得ステップで取得された前記被測定体の形状情報に基づいて、前記被測定体の形状情報に応じた応答関数の補正値を、補正応答関数として演算する補正応答関数生成ステップと、を備え、
前記放射線検出ステップから出力されたパルス波高分布に対して、前記補正応答関数生成ステップで演算された前記補正応答関数を用いた逆問題演算を行うことにより、前記被測定体から放射される放射線のエネルギースペクトルを演算する放射線測定方法であって、
前記被測定体情報取得ステップは、検査領域内の少なくとも１つの前記被測定体の３次元形状を実時間で計測する３次元形状計測器を用い、
前記補正応答関数生成ステップは、前記被測定体の放射性物質の含有率分布情報に基づいて、前記被測定体が前記検査領域内に占有する空間に包含される格子点について、前記格子点における放射性物質の含有率を乗算した応答関数を積算することにより、前記補正応答関数を生成する
放射線測定装置。
【発明の詳細な説明】
【技術分野】
【０００１】
この発明は、測定対象の試料である被測定体を破壊することなく、被測定体の放射能を測定する放射能分析装置および放射能分析方法に関する。
【背景技術】
【０００２】
食品、水、土壌等に含まれる放射性物質の分析や定量を行う放射能分析装置は、測定対象の試料である被測定体からの放射線を検出し、そのエネルギーおよび強度を測定する。すなわち、測定対象核種が発するエネルギーを持つ放射線の強度を測定することにより、分析や定量が行われる。
【０００３】
ここで、放射線のエネルギーおよび強度を高精度に測定する方法として、検出器の応答関数を用いた逆問題演算を適用することができる。具体的には、測定されたパルス波高分布から光子エネルギースペクトルを求めるために、応答分布行列による逆問題演算（アンフォールディング）を行い、光子エネルギーの強度を測定して放射性物質を定量する分光光子線量測定法が提案されている（例えば、特許文献１参照）。
【０００４】
この分光光子線量測定法では、まず、ある決まった形状や密度の被測定体を定められた測定場所に配置し、ある場所に固定された検出器がどのような応答を示すかを、あらかじめシミュレーション等により求めておく。
【０００５】
また、この分光光子線量測定法では、放射線のエネルギーを様々な値に変化させたときの検出器の応答関数を、応答分布行列としてデータベースに蓄えておき、実際に被測定体を測定したときの結果に対して、この応答分布行列を用いた逆問題演算を行うことにより、入射する放射線のエネルギーおよび強度を求めている。
【０００６】
なお、食品に含まれる放射性物質による検出器からの出力は、食品の形状に依存し、その形状は不定形なので、測定毎にばらつきを生じる。そこで、測定毎のばらつきを低減するために、食品を粉砕してマリネリ容器等の特定の形状を有する容器に充填し、ＧｅやＮａＩといったシンチレータで、γ線スペクトルを測定して含有する放射能を定量していた。そのため、食品については主に抜き取りの破壊検査となり、全数検査が困難であった。
【０００７】
これに対して、形状の不定な被測定体に対して粉砕等破壊することなく放射性物質を定量する方法として、被測定体が設置される測定範囲を格子状に分割し、その個々の格子点に点状の放射線源をおいた場合に得られる検出器の感度を計測し、被測定体の３次元形状内に含まれる格子点での各々の検出器の感度を積分して、その体積積分空間を体積線源とした検出効率を得る放射能の測定方法が提案されている（例えば、特許文献２参照）。
【先行技術文献】
【特許文献】
【０００８】
【特許文献１】特表２００８−５４５９７９号公報
【特許文献２】特開２００２−９８７６８号公報
【発明の概要】
【発明が解決しようとする課題】
【０００９】
しかしながら、従来技術には、以下のような課題がある。
特許文献１に示された分光光子線量測定法では、被測定体の形状や密度、幾何学的配置を仮定した上で応答分布行列を作成しているので、被測定体の形状や密度が仮定していたものと異なる場合には、正確に放射線のエネルギーおよび強度を測定することができないという問題がある。
【００１０】
すなわち、被測定体の形状や密度が様々に変化する場合、特に生体のように放射性物質の蓄積に部位依存性があるような場合には、逆問題演算（アンフォールディング）により得られたエネルギースペクトルの精度が低下し、測定対象核種の放射性物質の定量精度が著しく低下するという問題がある。
【００１１】
また、特許文献２に示された放射能の測定方法では、形状による感度分布依存性を補正することはできるものの、均一の線源分布を仮定し、検出効率のみの体積積分を行って一点の代表点に転換しているので、表面汚染や線源が生体の一部に蓄積されるような、放射線源に密度分布を持つような被測定体に適用することができないという問題がある。
【００１２】
また、この放射線の測定方法は、逆問題演算に適用することができず、エネルギー分析精度に課題があるとともに、線源に対するエネルギースペクトル分布の線源位置依存性に対応することができず、逆問題演算によるスペクトル分解能の向上、感度の向上に供することができないという問題もある。
【００１３】
この発明は、上記のような課題を解決するためになされたものであり、試料毎に形状が不定形の被測定体に対しても、最適な検出器応答関数を算出し、この応答関数を用いて逆問題演算を行うことにより、被測定体を破壊することなく全数検査を行うとともに、被測定体から放射される放射線のエネルギースペクトルを高精度に測定することができる放射線測定装置および放射線測定方法を得ることを目的とする。
【課題を解決するための手段】
【００１４】
この発明に係る放射線測定装置は、被測定体から放射される放射線を検出し、出力パルスに応じたパルス波高分布を出力する放射線検出部と、被測定体の形状情報を取得する被測定体情報取得部と、被測定体情報取得部で取得された被測定体の形状情報に基づいて、被測定体の形状情報に応じた応答関数の補正値を、補正応答関数として演算する補正応答関数生成部と、を備え、放射線検出部から出力されたパルス波高分布に対して、補正応答関数生成部で演算された補正応答関数を用いた逆問題演算を行うことにより、被測定体から放射される放射線のエネルギースペクトルを演算する放射線測定装置であって、被測定体情報取得部は、検査領域内の少なくとも１つの被測定体の３次元形状を実時間で計測する３次元形状計測器を有し、補正応答関数生成部は、被測定体の存在しうる空間における所定間隔の格子点の個々について放射線検出部の応答関数を有し、被測定体が検査領域内に占有する空間に包含される個々の格子点についての応答関数を積算することにより、補正応答関数を生成するものである。
【００１５】
また、この発明に係る放射線測定方法は、被測定体から放射される放射線を検出し、出力パルスに応じたパルス波高分布を出力する放射線検出ステップと、被測定体の形状情報を取得する被測定体情報取得ステップと、被測定体情報取得ステップで取得された被測定体の形状情報に基づいて、被測定体の形状情報に応じた応答関数の補正値を、補正応答関数として演算する補正応答関数生成ステップと、を備え、放射線検出ステップから出力されたパルス波高分布に対して、補正応答関数生成ステップで演算された補正応答関数を用いた逆問題演算を行うことにより、被測定体から放射される放射線のエネルギースペクトルを演算する放射線測定方法であって、被測定体情報取得ステップは、検査領域内の少なくとも１つの被測定体の３次元形状を実時間で計測する３次元形状計測器を用い、補正応答関数生成ステップは、被測定体の存在しうる空間における所定間隔の格子点の個々について放射線検出ステップで用いられる応答関数に基づいて、被測定体が検査領域内に占有する空間に包含される個々の格子点についての応答関数を積算することにより、補正応答関数を生成するものである。
【発明の効果】
【００１６】
この発明に係る放射線測定装置および放射線測定方法によれば、補正応答関数生成部（ステップ）は、被測定体の形状情報を取得する被測定体情報取得部（ステップ）で取得された被測定体の形状情報に基づいて、被測定体の形状情報に応じた応答関数の補正値を、補正応答関数として演算し、被測定体から放射される放射線を検出し、出力パルスに応じたパルス波高分布を出力する放射線検出部（ステップ）から出力されたパルス波高分布に対して、補正応答関数生成部（ステップ）で演算された補正応答関数を用いた逆問題演算を行うことにより、被測定体から放射される放射線のエネルギースペクトルを演算する。
このとき、被測定体情報取得部は、検査領域内の少なくとも１つの被測定体の３次元形状を実時間で計測する３次元形状計測器を有し、補正応答関数生成部は、被測定体の存在しうる空間における所定間隔の格子点の個々について放射線検出部の応答関数を有し、被測定体が検査領域内に占有する空間に包含される個々の格子点についての応答関数を積算することにより、補正応答関数を生成する。
また、被測定体情報取得ステップは、検査領域内の少なくとも１つの被測定体の３次元形状を実時間で計測する３次元形状計測器を用い、補正応答関数生成ステップは、被測定体の存在しうる空間における所定間隔の格子点の個々について放射線検出ステップで用いられる応答関数に基づいて、被測定体が検査領域内に占有する空間に包含される個々の格子点についての応答関数を積算することにより、補正応答関数を生成する。
そのため、試料毎に形状が不定形の被測定体に対しても、最適な検出器応答関数を算出し、この応答関数を用いて逆問題演算を行うことにより、被測定体を破壊することなく全数検査を行うとともに、被測定体から放射される放射線のエネルギースペクトルを高精度に測定することができる。
【図面の簡単な説明】
【００１７】
【図１】この発明の実施の形態１に係る放射能分析装置を示すブロック図である。
【図２】この発明の実施の形態１に係る放射能分析装置における応答関数分布を示す説明図である。
【図３】この発明の実施の形態１に係る放射能分析装置の補正応答関数生成部を示すブロック図である。
【図４】この発明の実施の形態１に係る放射能分析装置の被測定体情報取得部の動作を示す説明図である。
【図５】この発明の実施の形態２に係る放射能分析装置の被測定体情報取得状態を示す説明図である。
【図６】この発明の実施の形態３に係る放射能分析装置の被測定体情報取得状態を示す説明図である。
【発明を実施するための形態】
【００１８】
以下、この発明に係る放射能分析装置および放射能分析方法の好適な実施の形態につき図面を用いて説明するが、各図において同一、または相当する部分については、同一符号を付して説明する。
【００１９】
実施の形態１．
図１は、この発明の実施の形態１に係る放射能分析装置を示すブロック図である。図１において、この放射能分析装置は、被測定体１から放射される放射線を検出する放射線検出部１０、被測定体情報取得部２０、補正応答関数生成部３０、放射能値演算部４０および表示部５０を備えている。
【００２０】
放射線検出部１０は、例えば検出器１１、増幅器１２および波高分析器１３を有し、被測定体１から放射されるγ線等の放射線を検出し、その出力パルスの波高に対してパルス数をカウントする。
【００２１】
検出器１１は、入射放射線のエネルギーに対し、それに応じた確率密度分布に従ってパルス出力を発生する。例えば、ＮａＩシンチレータを用いたγ線計測の場合であれば、全吸収ピークやコンプトン散乱による連続波高分布等が発生する。この分布関数を用いて逆演算を行い、高精度にエネルギーを分析する方法が逆問題演算（アンフォールディング）であるが、この応答関数は、検出器１１に対する放射線源の位置により変化する。
【００２２】
図２は、この発明の実施の形態１に係る放射能分析装置における応答関数分布を示す説明図である。図２において、検出器１１に対し、被測定体１の設置される領域を格子状にＬ、Ｍ、Ｎ分割した検出空間分割格子２を定義し、応答関数をＲで表す。
【００２３】
このとき、検出空間分割格子２の格子点（ｉ、ｊ、ｋ）に、放射線のエネルギーＥの点状の放射線源を置いて得られる放射線検出部１０の出力応答関数Ｒ（Ｅ、ｉ、ｊ、ｋ）と、格子点（ｌ、ｍ、ｎ）の出力応答関数Ｒ（Ｅ、ｌ、ｍ、ｎ）とは、互いに異なる分布となる。
【００２４】
図３は、この発明の実施の形態１に係る放射能分析装置の補正応答関数生成部３０を示すブロック図である。図３において、補正応答関数生成部３０は、検出器応答関数記憶部３１、被測定体分布演算部３２、積分演算処理部３３、補正応答関数出力部３４、密度分布情報記憶部３５（後述する）および放射性物質含有率分布情報記憶部３６（後述する）を有している。
【００２５】
図２に示された放射線検出部１０で得られた出力応答関数は、検出器応答関数記憶部３１のＶｏｘｅｌデータとして記憶される。一方、被測定体情報取得部２０では、図４に示されるように、３次元形状計測器２１により被測定体１の形状情報が取得され、被測定体分布演算部３２に出力される。
【００２６】
被測定体分布演算部３２は、入力された被測定体１の形状情報に基づいて、格子点（ｉ、ｊ、ｋ）に重み付けを行い、重み付けデータＷ（ｉ、ｊ、ｋ）を算出する。最も簡単には、格子点が被測定体情報取得部２０で取得された被測定体１の内部にある場合には１を、外部にある場合には０を入力することが考えられるが、被測定体１の境界において、隣接格子点との境界内に存在する被測定体１の占有率により、荷重するようにしてもよい。
【００２７】
次に、積分演算処理部３３は、被測定体分布演算部３２で算出された重み付けデータＷ（ｉ、ｊ、ｋ）と、検出器応答関数記憶部３１に記憶されたＶｏｘｅｌデータとを合わせて次式（１）で表される演算を行い、補正応答関数出力部３４は、式（１）で演算された被測定体１の応答関数Ｒ（Ｅ）を出力する。
【００２８】
【数１】
0006037968.tif 000002
【００２９】
放射能値演算部４０は、放射線検出部１０から出力された被測定体１からの放射線によるパルス波高分布に対して、補正応答関数出力部３４から出力された被測定体１の応答関数Ｒ（Ｅ）を用いて、例えば逐次近似法等を用いた逆問題演算を行い、エネルギースペクトルを算出して、表示部５０にその結果を出力する。
【００３０】
なお、表示部５０は、エネルギースペクトルそのものを表示するものに限定されず、ベクレル値に変換して表示してもよい。また、スクリーニング等を行うような場合には、一定量の放射能の有無を判定表示するだけであってもよいし、食品の選別等、被測定体１の処理結果として表示されるものであってもよい。
【００３１】
また、被測定体情報取得部２０として高速のコンピュータを用いることにより、３次元形状計測器２１により得られる被測定体１の分布を実時間で（リアルタイムに）演算することができ、例えばコンベア等で食品を連続で検査する全数検査システムとして適用することができる。
【００３２】
また、複数の被測定体１が検出領域に存在する場合であっても、３次元形状計測器２１により得られるデータから補正応答関数を正確に算出することができ、正確な検査を行うことができる。
【００３３】
以上のように、実施の形態１によれば、補正応答関数生成部は、被測定体の形状情報を取得する被測定体情報取得部で取得された被測定体の形状情報に基づいて、被測定体の形状情報に応じた応答関数の補正値を、補正応答関数として演算し、放射能値演算部は、被測定体から放射される放射線を検出し、出力パルスに応じたパルス波高分布を出力する放射線検出部から出力されたパルス波高分布に対して、補正応答関数生成部で演算された補正応答関数を用いた逆問題演算を行うことにより、被測定体に含まれる放射能量を演算する。
すなわち、点状線源に対するエネルギースペクトルの応答関数を持つとともに、被測定体の３次元形状情報および線源の分布情報を入力する事により、応答関数から逆問題演算に適用する応答関数の補正値が演算される。
また、被測定体情報取得部は、検査領域内の少なくとも１つの被測定体の３次元形状を実時間で計測する３次元形状計測器を有し、補正応答関数生成部は、被測定体の存在しうる空間における所定間隔の格子点の個々について放射線検出部の応答関数を有し、被測定体が検査領域内に占有する空間に包含される個々の格子点についての応答関数を積算することにより、補正応答関数を生成する。
そのため、試料毎に形状が不定形の被測定体に対しても、最適な検出器応答関数を算出し、この応答関数を用いて逆問題演算を行うことにより、被測定体を破壊することなく全数検査を行うとともに、被測定体に含まれる放射能量を高精度に測定することができる。
また、不定形の連続して流れる被測定体に対して、被測定体を粉砕することなく全数検査行うことができる。
【００３４】
実施の形態２．
例えばピーマンのように、食品には、外形に対して空洞等が存在する等、密度が均一でない場合が多い。そこで、図５に示されるように、被測定体１に空洞が存在する場合には、それを除外した領域での積分演算により、応答関数Ｒ（Ｅ）を算出する必要がある。
【００３５】
そこで、図３に示されるように、この発明の実施の形態２に係る放射能分析装置は、補正応答関数生成部３０において、密度分布情報記憶部３５をさらに有している。密度分布情報記憶部３５は、被測定体情報として、マンマシンインターフェースや画像認識等により、被測定体の種別を密度分布情報とともに記憶している。
【００３６】
被測定体分布演算部３２は、密度分布情報記憶部３５に記憶された被測定体の種別に対応する密度分布情報を用いて、被測定体情報取得部２０により得られる外形形状から、内部状態を推定して被測定体分布データＷ（ｉ、ｊ、ｋ）を演算する。また、積分演算処理部３３は、この被測定体分布データＷ（ｉ、ｊ、ｋ）と検出器応答関数記憶部３１に記憶されたＶｏｘｅｌデータとを合わせて、補正応答関数を演算する。
【００３７】
以上のように、実施の形態２によれば、被測定体情報取得部は、検査領域内の少なくとも１つの被測定体の３次元形状を実時間で計測する３次元形状計測器を有し、補正応答関数生成部は、被測定体の密度分布情報を有するとともに、被測定体が検査領域内に占有する空間に包含される格子点について、格子点における密度を乗算した応答関数を積算することにより、補正応答関数を生成する。
そのため、密度分布を有する被測定体に対して、被測定体を粉砕することなく全数検査行うことができる。
【００３８】
実施の形態３．
例えば生体では、放射性物質を取り込み蓄積する部位が局在する場合があり、たとえ密度が一様であったとしても、図６に示されるように、第１放射性物質濃度領域１ａおよび第２放射性物質濃度領域１ｂ等、複数の放射性物質濃度の領域に分割される。ここで、放射性物質を蓄積する部位は、生物種で一定であり、種別および外形が分かれば、領域を特定することができる。
【００３９】
そこで、図３に示されるように、この発明の実施の形態３に係る放射能分析装置は、補正応答関数生成部３０において、放射性物質含有率分布情報記憶部３６をさらに有している。放射性物質含有率分布情報記憶部３６は、被測定体情報として、外形形状に対する相対的な領域分割データと含有率としての重み値を記憶している。
【００４０】
被測定体分布演算部３２は、放射性物質含有率分布情報記憶部３６に記憶された外形形状に対する相対的な領域分割データと含有率としての重み値を用いて、被測定体情報取得部２０により得られる外形形状から、被測定体分布データＷ（ｉ、ｊ、ｋ）を演算する。また、積分演算処理部３３は、この被測定体分布データＷ（ｉ、ｊ、ｋ）と検出器応答関数記憶部３１に記憶されたＶｏｘｅｌデータとを合わせて、補正応答関数を演算する。
【００４１】
なお、この発明の実施の形態３に係る放射能分析装置において、放射性物質含有率分布情報記憶部３６は、上述した実施の形態２における密度分布情報記憶部３５と併用してもよく、生体に密度分布および蓄積部位双方が存在する場合に、より正確な補正応答関数を生成することができる。
【００４２】
以上のように、実施の形態３によれば、被測定体情報取得部は、検査領域内の少なくとも１つの被測定体の３次元形状を実時間で計測する３次元形状計測器を有し、補正応答関数生成部は、被測定体の放射性物質の含有率分布情報を有するとともに、被測定体が検査領域内に占有する空間に包含される格子点について、格子点における放射性物質の含有率を乗算した応答関数を積算することにより、補正応答関数を生成する。
そのため、放射性物質の含有量に分布を有する被測定体に対して、被測定体を粉砕することなく全数検査行うことができる。
【符号の説明】
【００４３】
１  被測定体、１ａ  第１放射性物質濃度領域、１ｂ  第２放射性物質濃度領域、２  検出空間分割格子、１０  放射線検出部、１１  検出器、１２  増幅器、１３  波高分析器、２０  被測定体情報取得部、２１  ３次元形状計測器、３０  補正応答関数生成部、３１  検出器応答関数記憶部、３２  被測定体分布演算部、３３  積分演算処理部、３４  補正応答関数出力部、３５  密度分布情報記憶部、３６  放射性物質含有率分布情報記憶部、４０  放射能値演算部、５０  表示部。
【図１】
0006037968.tif 000003
【図２】
0006037968.tif 000004
【図３】
0006037968.tif 000005
【図４】
0006037968.tif 000006
【図５】
0006037968.tif 000007
【図６】
0006037968.tif 000008